(57)【要約】【課題】ティッシュボックス等のシート状物品収納容器と別体とし、防蟻対策が必要な地域や季節等に応じて個別に防蟻対策を行え、コスト低減を図ることができる防蟻カバーを提供する。【解決手段】シート状物品収納容器２００の防蟻カバー１０であって、シート状物品収納容器の側面２２０ａ〜２２０ｄの全周に連続して繋がる領域、シート状物品収納容器の底面２３０の外側の全周に連続して繋がる領域でかつ底面を含む領域、又はシート状物品収納容器の天面２１０の全周に連続して繋がる領域でかつシート状物品取出し部２１０ａを除く領域を覆い、防蟻カバーの内部又は表面に、防蟻剤が含有されている防蟻カバーである。【選択図】図２
2010047282.tif 000002
【特許請求の範囲】
【請求項１】
シート状物品収納容器の防蟻カバーであって、前記シート状物品収納容器の側面の全周に連続して繋がる領域、前記シート状物品収納容器の底面の外側の全周に連続して繋がる領域でかつ前記底面を含む領域、又は前記シート状物品収納容器の天面の全周に連続して繋がる領域でかつシート状物品取出し部を除く領域を覆い、
前記防蟻カバーの内部又は表面に、防蟻剤が含有されている防蟻カバー。
【請求項２】
前記防蟻カバーは前記シート状物品収納容器の底面が載置される載置面と、前記載置面から立ち上がり前記シート状物品収納容器の側面の全周を囲む連続した立設部とを有する請求項１記載の防蟻カバー。
【請求項３】
前記防蟻カバーは前記シート状物品収納容器の底面が載置される載置面と、該載置面より外側にはみ出し前記載置面の外側全周に連続して繋がる外側領域と、前記載置面から立ち上がり前記シート状物品収納容器の側面を囲む位置決め部とを有する請求項１記載の防蟻カバー。
【請求項４】
前記防蟻カバーは、前記シート状物品収納容器の天面の外形以上の大きさでかつ前記シート状物品取出し部に対応する部分が切り抜かれた主面と、前記主面から立ち下がり前記シート状物品収納容器の側面を囲む位置決め部とを有する請求項１記載の防蟻カバー。
【請求項５】
前記防蟻カバーは、前記シート状物品収納容器の側面の全周を囲む側部と、前記天面に載置される片部とを有し、該片部の端が前記側部に接続されている請求項１記載の防蟻カバー。
【請求項６】
前記防蟻カバーは、板材を折線から折曲げて組立てる折畳み可能な展開構造をなしている請求項１〜５のいずれか記載の防蟻カバー。
【発明の詳細な説明】
【技術分野】
【０００１】
本発明は、ティッシュボックス等のシート状物品収納容器への蟻の侵入を防止するための防蟻カバーに関する。
【背景技術】
【０００２】
紙や不織布等をシート状にした掃除用ワイパーやタオルを積層し、取出し易いように収容した容器が種々知られている。このような容器としては、容器の天面にプラスチックフィルム製のスリットを設けてティッシュペーパーを取出す略直方体状のティッシュボックスがある。このスリットは、ティシュペーパーを一組取出した際に、次の一組を挟持して箱内部への落下を防止すると共に、箱内部への塵や虫等の異物の混入を防いでいる。
しかしながら、特に関東以西には、ティッシュボックス内のティシュペーパーの隙間に好んで入り込む習性を持つルリアリ（蟻）が生息し、上記したスリットではこの蟻の侵入を防止する効果が少ないという問題がある。ルリアリは、体表２〜２．５ｍｍの琥珀色をしたアリで、自然状態では温暖な地方の人家の周りにある枯草や枯れ枝の茎に小さな穴を開けて巣をつくる。以前、鉄道の信号機用リレー装置にルリアリが入り込み、信号故障が多発したことがあり、ルリアリは隙間のほとんどない箱型の場所を好む傾向がある。このような習性が、ティシュボックスにルリアリが集まる原因の一つと考えられる。
【０００３】
そして、ティシュボックスへの虫の寄り付きを防止するため、上記スリット（ティッシュ取り出し口用フィルム）や箱組立用のグルー、又は箱表面への印刷用インクに、防虫や防蟻効果を有する天然抽出物を含有させた技術が提案されている（特許文献１）。
又、ヒバ油を含む昆虫忌避剤を紙器に含有させた技術が提案されている（特許文献２）。
【０００４】
【特許文献１】特開２００１−１２２３４７号公報
【特許文献２】特開２００３−３２７５０３号公報
【特許文献３】特開2002-179163号公報
【発明の開示】
【発明が解決しようとする課題】
【０００５】
しかしながら、例えばルリアリは関東以西に生息するのに対し、ティシュボックスのグルーやインクに防虫剤を配合すると、全国向けのすべての収納箱が対象となり、防蟻対策が不要な他の地域向けのティシュボックスにも防虫剤を配合しなければならず、コスト面での負担が大きい。又、ルリアリの活動が不活発で防蟻対策が不要な冬季にも、防虫剤入りのティシュボックスが流通した場合、販売価格の不統一を招く。
すなわち、本発明は、ティッシュボックス等のシート状物品収納容器と別体とし、防蟻対策が必要な地域や季節等に応じて個別に防蟻対策を行え、コスト低減を図ることができる防蟻カバーの提供を目的とする。
【課題を解決するための手段】
【０００６】
上記課題を解決するため、本発明の防蟻カバーは、シート状物品収納容器の防蟻カバーであって、前記シート状物品収納容器の側面の全周に連続して繋がる領域、前記シート状物品収納容器の底面の外側の全周に連続して繋がる領域でかつ前記底面を含む領域、又は前記シート状物品収納容器の天面の全周に連続して繋がる領域でかつシート状物品取出し部を除く領域を覆い、前記防蟻カバーの内部又は表面に、防蟻剤が含有されているものである。
このような構成とすると、シート状物品収納容器の底面から側面をよじ登って天面のスリットから容器に侵入し、又はシート状物品収納容器の底面から側面をよじ登って側面の貼り合わせ部の隙間から容器に侵入する蟻の侵入経路の一部を、その全周にわたって防蟻カバーが覆うので、シート状物品収納容器より小さな防蟻カバーで蟻の侵入を抑制することができ、コスト低減を図ることができる。又、防蟻カバーがシート状物品収納容器と別体であるので、防蟻対策が必要な地域や季節等に応じて個別に防蟻対策を行え、すべてのシート状物品収納容器に不必要な防蟻対策を施さなくて済み、コスト低減を図ることができる。
【０００７】
前記防蟻カバーは前記シート状物品収納容器の底面が載置される載置面と、前記載置面から立ち上がり前記シート状物品収納容器の側面の全周を囲む連続した立設部とを有していてもよい。
前記防蟻カバーは前記シート状物品収納容器の底面が載置される載置面と、該載置面より外側にはみ出し前記載置面の外側全周に連続して繋がる外側領域と、前記載置面から立ち上がり前記シート状物品収納容器の側面を囲む位置決め部とを有していてもよい。
前記防蟻カバーは、前記シート状物品収納容器の天面の外形以上の大きさでかつ前記シート状物品取出し部に対応する部分が切り抜かれた主面と、前記主面から立ち下がり前記シート状物品収納容器の側面を囲む位置決め部とを有していてもよい。
前記防蟻カバーは、前記シート状物品収納容器の側面の全周を囲む側部と、前記天面に載置される片部とを有し、該片部の端が前記側部に接続されていてもよい。
【０００８】
前記防蟻カバーは、板材を折線から折曲げて組立てる折畳み可能な展開構造をなしていてもよい。
このようにすると、防蟻カバーを一枚のシート（板紙やプラスチック板等）から組立てることができ、部品点数が少なく、低コストとなる。又、防蟻カバーの保管時や発送時にはコンパクトに折り畳むことができ、省スペースで発送コストも低減される。
【発明の効果】
【０００９】
この発明によれば、ティッシュボックス等のシート状物品収納容器と別体であり、防蟻対策が必要な地域や季節等に応じて個別に防蟻対策を行え、コスト低減を図ることができる防蟻カバーが得られる。
【発明を実施するための最良の形態】
【００１０】
以下、本発明の実施形態について説明する。
図１は、本発明の防蟻カバーによる防蟻作用を示す概念図である。ルリアリ等の蟻は、外部からティッシュボックス（シート状物品収納容器）２００に接近し、底面から側面２２０ａ〜２２０ｄ（２２０ｄは図示せず）をよじ登って、天面２１０に到達し、天面２１０中央のスリット（シート状物品取出し部）２１０ａから箱内部の積層ティッシュに侵入する。又、ティッシュボックス側面部２２０ａや２２０ｃのフラップ貼り合わせ部分２２０ｃｘのすき間２２０ｃＬ（側面部が上下の２枚の板紙を貼り合わせるために生じる隙間）から蟻が侵入する場合もある。スリット２１０ａからはティッシュペーパー３００が突出している。蟻の侵入経路Ｒを矢印で示す。
ここで、ティッシュボックス２００底面の外側の全周Ａ、ティッシュボックス２００側面の全周Ｂ、ティッシュボックス２００天面の全周Ｃのいずれかの領域で防蟻効果を持たせれば、ティッシュボックス２００の全体に防蟻効果を施さなくても、天面２１０からティッシュボックス２００内部への蟻の侵入を防止することができ、コストダウンを図ることができる。このとき重要なのは、領域Ａ、Ｂ、Ｃのいずれにおいても、全周にわたって防蟻効果を持たせないと、防蟻効果の無い部分から蟻が侵入してしまうことである。
なお、ティッシュボックス側面部２２０ａや２２０ｃのフラップ貼り合わせ部分２２０ｃｘのすき間２２０ｃＬから蟻が侵入する場合には、ティッシュボックス２００天面の全周Ｃに防蟻効果を持たせても、蟻の侵入を防止できない。従って、領域Ａ又はＢに防蟻効果を持たせるのが好ましい。
【００１１】
以上のことから、本発明は、上記した領域Ａ、Ｂ、Ｃのいずれかに防蟻剤を含有する防蟻カバーを位置させることで、比較的小さな防蟻カバーで蟻の侵入を防止する。又、防蟻カバーがシート状物品収納容器と別体であるので、防蟻対策が必要な地域や季節等に応じて個別に防蟻対策を行えると共に、シート状物品収納容器に蟻の混入が生じたユーザに対し、個別に本発明の防蟻カバーを発送し苦情に迅速に対応することができる。
以下、領域Ａ、Ｂ、Ｃ毎に本発明を詳しく説明する。
【００１２】
図２は、上記領域Ｂに対応した領域に設けられ、本発明の第１の実施形態に係る防蟻カバー１０の斜視図を示す。シート状物品収納容器２００は、１枚の板紙を折り曲げて概ね箱状に組立ててなり、矩形状の天面２１０、４つの側面２２０ａ〜２２０ｄ（２２０ｄは図示せず）、及び底面２３０を備えている。又、天面２１０中央には長手方向にスリット２１０ａが延び、スリット２１０ａからはティッシュペーパー３００がポップアップ式に突出している。
シート状物品としては、ティシュペーパー（フェイシャルティシュとも称される鼻かみや化粧落とし用の紙）、ペーパータオル、トイレットペーパー等の使い捨て衛生用薄葉紙が例示されるがこれらに限られない。
【００１３】
防蟻カバー１０は、１枚の板紙を折り曲げ、上部が開口する箱状に組立ててなり、シート状物品収納容器２００の底面２３０が載置される矩形の載置面２と、載置面２から立ち上がる４つの立設部３ａ〜３ｄとを有する。立設部３ａ〜３ｄは載置面２の各辺から立ち上がり、載置面２の角部で接続されることにより、シート状物品収納容器２００の側面の全周を連続して囲むようになっている。
立設部３ａ〜３ｄがシート状物品収納容器２００の底面側の側面に連続して形成されているので、外部からシート状物品収納容器２００に接近した蟻は、側面２２０ａ〜２２０ｄをよじ登ることができず、シート状物品収納容器２００のスリット２１０ａに到達できない。これにより、防蟻効果が得られる。
【００１４】
載置面２の外形は、シート状物品収納容器２００の底面２３０の外形よりわずかに大きい。又、立設部３ａ〜３ｄの高さは、シート状物品収納容器２００の側面の高さより低い（この例では、約１／５以下）。これにより、シート状物品収納容器２００全体に防蟻剤を含有させるのに比べ、防蟻剤の使用量を大幅に低減することができる。
【００１５】
防蟻カバー１０としては、紙の他、ポリエチレン、ポリプロピレン等の汎用プラスチックを使用することができる。紙を用いる場合、坪量を３００〜５００g/m2とするのが好ましい。
防蟻カバー１０の片面（シート状物品収納容器２００に対向する面）には、防蟻剤が塗工されている。防蟻剤としては、一般の防虫剤や防蟻剤を用いることができ、具体的には、例えばサリチル酸メチル、アリルイソチオシアネート等が防蟻剤として挙げられる。特に、シート状物品として衛生用薄葉紙を使用する場合、人体への安全性や臭気の点から、防蟻剤として杉、檜、樟、ユーカリ等の天然物の抽出成分が好ましい。
防蟻剤は防蟻カバー１０の片面又は全面に塗工することができ、又、片面に部分的に塗工することができる。又、塗工の他、予め抄紙時に防蟻剤の成分を内添してもよい。又、防蟻カバー１０としてプラスチックを使用する場合、防蟻剤を塗工する他、プラスチックの材料（ペレット）中に防蟻剤の成分を添加してもよい。
防蟻カバー１０に含まれる防蟻剤の量は、０．０１〜０．５g/m2（防蟻カバー１m2当たりの量）とすることが好ましい。防蟻剤の量が０．０１g/m2未満の場合、蟻の忌避効果が少ないことがあり、０．５g/m2を超えるとコストが高くなり過ぎたり、防蟻剤の臭いがきつくなることがある。
【００１６】
防蟻カバー１０をシート状物品収納容器２００と別体にすることで、防蟻対策が必要な地域や季節等に応じて個別に防蟻対策を行え、シート状物品収納容器２００の全製品に防蟻対策を施すのに比べ、コスト低減を図ることができる。又、シート状物品収納容器２００の一部の領域を防蟻カバー１０が覆うようにしたので、シート状物品収納容器２００全体に防蟻剤を含有させるのに比べ、防蟻剤の使用量を低減することができる。
【００１７】
図３は、上記領域Ｃに対応した領域に設けられ、本発明の第２の実施形態に係る防蟻カバー１０Ｂの斜視図を示す。防蟻カバー１０Ｂは、１枚の板紙を折り曲げ、下部が開口する箱状に組立ててなり、概ね、第１の実施形態に係る防蟻カバー１０の上下をひっくり返した形状になっている。
防蟻カバー１０Ｂは、シート状物品収納容器２００の天面２１０の外形よりわずかに大きく、かつスリット２１０ａに対応する中央部４ａが切り抜かれた矩形の主面４と、主面４から立ち下がりシート状物品収納容器の側面２２０ａ〜２２０ｄを囲む位置決め部５ａ〜５ｄとを有する。
この実施形態では、位置決め部５ａ〜５ｄは主面４の各辺から立ち上がり、主面４の角部で接続されることにより、シート状物品収納容器２００の側面の全周を連続して囲むようになっているが、位置決め部５ａ〜５ｄは単に主面４のシート状物品収納容器２００上の位置を合わせるものであればよい。例えば、位置決め部５ａ〜５ｄが主面４の各辺の中央部にのみ設けられ、互いに接続されなくてもよい。
【００１８】
第２の実施形態では、主面４がシート状物品収納容器の天面２１０の全周に連続して繋がっているので、側面２２０ａ〜２２０ｄをよじ登った蟻は、シート状物品収納容器２００のスリット２１０ａに接近することができず、これにより防蟻効果が得られる。
なお、主面４は天面２１０全体を覆っている必要はなく、少なくとも天面２１０に形成されたスリット２１０ａの外側を全周にわたって連続して覆っていればよい。例えば、スリット２１０ａの外側に環状の主面４を形成してもよい。
【００１９】
図４は、上記領域Ａに対応した領域に設けられ、本発明の第３の実施形態に係る防蟻カバー１０Ｃの斜視図を示す。防蟻カバー１０Ｃは、シート状物品収納容器の底面２３０が載置される載置面６ｂと、載置面６ｂ（＝底面２３０）より外側にはみ出す外側領域６ａを有し、シート状物品収納容器２００の底面２３０の下に敷かれている。載置面６ｂは、底面２３０の外形よりわずかに大きい矩形状をなし、外側領域６ａは載置面６ｂの外側の全周に連続して繋がっている。
さらに、載置面６ｂの各辺からそれぞれ舌片状の位置決め部７ａ〜７ｄが立ち上がるように設けられている。位置決め部７ａ〜７ｄはシート状物品収納容器２００の位置を合わせるものである。位置決め部７ａ〜７ｄは載置面６ｂの各辺の中央部に設けられ、互いに接続されていない。又、詳しくは後述するが、位置決め部７ａ〜７ｄは、コの字状の切れ込みを折線から折曲げて立ち上がらせている。
【００２０】
第３の実施形態では、外側領域６ａがシート状物品収納容器の底面２３０（載置面６ｂ）の外側全周に連続して繋がっているので、蟻がシート状物品収納容器２００に接近することができず、これにより防蟻効果が得られる。
【００２１】
図５は、上記領域Ｂに対応した領域に設けられ、本発明の第４の実施形態に係る防蟻カバー１０Ｄの斜視図を示す。防蟻カバー１０Ｄは、シート状物品収納容器の側面２２０ａ〜２２０ｄの全周を囲む側部８と、天面２１０に載置される２つの片部９とを有し、片部９の端９ｅ、９ｅ、９ｓが側部８に接続されている。そして、片部９を天面２１０上に載置すると、側部８が吊り下げられて側面２２０ａ〜２２０ｄの全周を囲むようになっている。
側部８は、側面２２０ａ〜２２０ｄをそれぞれ覆う長片状の側部片８ａ〜８ｄを、各側部片の端部（すなわち、側面２２０ａ〜２２０ｄの角部に相当）で接続して構成されている。
対向する側部片９ａ、９ｃに、それぞれ２つの片部９の一辺（端）９ｓが接続されている。又、一辺９ｓに隣接する短辺（端）９ｅ、９ｅは、それぞれ対向する側部片９ｂ、９ｄに接続されている。なお、片部９の少なくとも一辺が側部８に接続されていればよい。
【００２２】
第４の実施形態に係る防蟻カバー１０Ｄは、第２の実施形態に係る防蟻カバー１０Ｂの中央部４ａを大きくし、天面２１０の両端に主面４をわずかに残した形態となっている。
第４の実施形態では、側部８がシート状物品収納容器の側面２２０ａ〜２２０ｄの全周に連続して繋がっているので、第１の実施形態と同様に、外部からシート状物品収納容器２００に接近した蟻は、側面２２０ａ〜２２０ｄをよじ登ることができず、シート状物品収納容器２００のスリット２１０ａに到達できない。これにより、防蟻効果が得られる。
【００２３】
図６は、第１の実施形態に係る防蟻カバー１０において、載置面２に２つの切抜き部２ｘ、２ｘを設けた場合を示す。第１の実施形態の場合、立設部３ａ〜３ｄにより、シート状物品収納容器２００の側面から蟻がよじ登るのを防止するため、載置面２が底面２３０の全面に形成されている必要はない。
又、この切抜き部２ｘ、２ｘをコの字状の切れ込みとし、折線から噛み込み部２ｔ、２ｔを折曲げて立ち上がらせてもよい。シート状物品収納容器２００内のシート状物品が少なくなると、容器２００の底面２３０の切れ込み部分を底上げし、残ったシート状物品を取出し易くすることができるが、噛み込み部２ｔ、２ｔを底面２３０の底上げ部に噛み込ませると、シート状物品収納容器２００を防蟻カバー１０にしっかりと固定することができる。
【００２４】
図７は、第１の実施形態に係る防蟻カバー１０を組立てるための板紙１０ｘの展開構造を示す。板紙１０ｘの破線（折線）で折曲げることにより、載置面２から４つの立設部３ａ〜３ｄが立ち上がる。
立設部３ｂ、３ｄの両端にはそれぞれフラップ３ｘが延設されている。又、立設部３ａ、３ｃの端部には、フラップ３ｘを係合するための係合穴３ｙが開口している。そして、４つの立設部３ａ〜３ｄを立ち上げた後、フラップ３ｘを係合穴３ｙに挿入することにより両者が係合して接続され、シート状物品収納容器２００の側面の全周を連続して囲むようになる。
このように、防蟻カバー１０は折畳み可能な展開構造をなしているので、防蟻カバーを一枚のシート（板紙やプラスチック板等）から組立てることができ、部品点数が少なく、低コストとなる。又、防蟻カバーの保管時や発送時にはコンパクトに折り畳むことができ、省スペースで発送コストも低減される。
上記した破線をミシン目とすると、折曲げが容易になる。
【００２５】
図８は、第３の実施形態に係る防蟻カバー１０Ｃを組立てるための板紙１０Ｃｘの展開構造を示す。板紙１０Ｃｘの破線（折線）で折曲げることにより、載置面６ｂの各辺からそれぞれ舌片状の位置決め部７ａ〜７ｄが立ち上がる。なお、図８において、各位置決め部７ａ〜７ｄの実線は、コの字状の切れ込み部である。
【００２６】
本発明は上記実施形態に限定されず、本発明の思想と範囲に含まれる様々な変形及び均等物に及ぶことはいうまでもない。
【実施例】
【００２７】
<防蟻カバーの作成>
水性ニスと界面活性剤との混合液に対し、表１に示す防蟻剤を溶解した後、水で希釈して防蟻液を調製した。この防蟻液を、坪量３５０g/m2の板紙（２７×１５ｃｍ）の片面にメイヤーバー塗工した。塗工量は、防蟻剤の成分量が表１に示す値（例えば、ヒバ油やサリチル酸メチル１００％の原液が０．０５g/m2）となるようにした。
防蟻剤を塗工した板紙から、それぞれ図２〜図４に示す第１の実施形態の防蟻カバーから第３の実施形態の防蟻カバーを作成した。
比較のため、防蟻剤を塗工しない板紙から、同様に第１の実施形態の防蟻カバーから第３の実施形態の防蟻カバーを作成した。なお、防蟻カバーの大きさは、標準ティシュボックスに合わせた。
【００２８】
<防蟻効果の確認>
防蟻剤を含有する第１の実施形態の防蟻カバーと、防蟻剤を含有しない第１の実施形態の防蟻カバーとを用意し、実際にティシュボックス内部に蟻が混入したという相談を受けたユーザの居宅にそれぞれの防蟻カバーを取付けたティシュボックスを配置し、モニターテストを行なった。モニターテスト期間は２週間とした。
効果の確認は、ユーザの目視で行い、以下の基準で評価した。
Ａ：比較例のみティシュボックス内部に蟻が混入した
Ｂ：実施例のみティシュボックス内部に蟻が混入した
Ｃ：実施例と比較例の両方でティシュボックス内部に蟻が混入した
Ｄ：実施例と比較例のどちらにもティシュボックス内部に蟻が混入しなかった
さらに、Ａ〜Ｄのそれぞれの該当件数に対し、｛Ａ／（Ａ＋Ｂ＋Ｃ＋Ｄ）｝×１００（％）によって忌避率を求めた。
得られた結果を表１に示す。
【００２９】
【表１】
2010047282.tif 000003
【００３０】
表１から明らかなように、防蟻剤を含有する防蟻カバーをティシュボックスに取付けることにより、忌避率（防蟻剤を含有した結果、蟻を寄せ付けない割合）が６０％以上となり、本発明の第１の実施形態〜第３の実施形態に係る防蟻カバーが防蟻効果を有することが判明した。
【図面の簡単な説明】
【００３１】
【図１】本発明の防蟻カバーによる防蟻作用を示す概念図である。
【図２】本発明の第１の実施形態に係る防蟻カバーの斜視図である。
【図３】本発明の第２の実施形態に係る防蟻カバーの斜視図である。
【図４】本発明の第３の実施形態に係る防蟻カバーの斜視図である。
【図５】本発明の第４の実施形態に係る防蟻カバーの斜視図である。
【図６】第１の実施形態に係る防蟻カバーにおいて、載置面に２つの切抜き部を設けた場合を示す図である。
【図７】第１の実施形態に係る防蟻カバーを組立てるための板紙の展開構造を示す図である。
【図８】第３の実施形態に係る防蟻カバーを組立てるための板紙の展開構造を示す図である。
【符号の説明】
【００３２】
２、６ｂ                                        載置面
３ａ〜３ｄ                                      立設部
４                                              主面
４ａ                                            切り抜かれた中央部
５ａ〜５ｄ、７ａ〜７ｄ                          位置決め部
６ａ                                            外側領域
８ａ〜８ｄ                                      側部
９                                              片部
９ｅ、９ｓ                                      片部の端
１０、１０Ｂ〜１０Ｄ                            防蟻カバー
２００                                          シート状物品収納容器
２１０                                          シート状物品収納容器の天面
２１０ａ                                        シート状物品取出し部
２２０ａ〜２２０ｄ                              シート状物品収納容器の側面
２３０                                          シート状物品収納容器の底面
【図１】
2010047282.tif 000004
【図２】
2010047282.tif 000005
【図３】
2010047282.tif 000006
【図４】
2010047282.tif 000007
【図５】
2010047282.tif 000008
【図６】
2010047282.tif 000009
【図７】
2010047282.tif 000010
【図８】
2010047282.tif 000011